(57)【特許請求の範囲】
【請求項１】
シーブケースと、
脱穀処理物を搬送しながら揺動選別するグレンパンと、
前記グレンパンから脱穀処理物を受け継いで、当該受け継いだ脱穀処理物を篩い選別して、下方の回収部に漏下させるグレンシーブと、を備え、
前記シーブケースの右及び左の側壁には、前記グレンシーブが取り付けられる右及び左の取付部が設けられ、
前記取付部と前記シーブケースの側壁との間には、補強用の複数のリブが、搬送方向に所定の間隔をあけて設けられ、
前記リブは、前記取付部の下面と前記シーブケースの側壁との間に設けられ、
前記グレンシーブは、前記グレンパンの下方に配置されて、前記グレンパンとの間に段差を形成し、且つ、複数のスペーサーを介して、前記取付部に対して下方から取り付けられ、
複数の前記スペーサーのうち少なくとも一部は、前後方向に互いに隣接する前記リブの間に配置されている脱穀装置。
【請求項２】
シーブケースと、
脱穀処理物を搬送しながら揺動選別するグレンパンと、
前記グレンパンから脱穀処理物を受け継いで、当該受け継いだ脱穀処理物を篩い選別して、下方の回収部に漏下させるグレンシーブと、を備え、
前記シーブケースの右及び左の側壁には、前記グレンシーブが取り付けられる右及び左の取付部が設けられ、
前記グレンシーブは、前記グレンパンの下方に配置されて、前記グレンパンとの間に段差を形成し、且つ、前記取付部に対して下方から取り付けられ、
前記グレンパンと前記グレンシーブとの上下間には、空間が形成され、
前記空間を前記シーブケースの横外方から覆う右及び左のカバー部材を備え、
前記カバー部材は、前記段差の全長に亘る高さに構成されている脱穀装置。
【請求項３】
シーブケースと、
脱穀処理物を搬送しながら揺動選別するグレンパンと、
前記グレンパンから脱穀処理物を受け継いで、当該受け継いだ脱穀処理物を篩い選別して、下方の回収部に漏下させるグレンシーブと、を備え、
前記シーブケースの右及び左の側壁には、前記グレンシーブが取り付けられる右及び左の取付部が設けられ、
前記グレンシーブは、前記グレンパンの下方に配置されて、且つ、スペーサーを介して前記取付部に対して下方から取り付けられて、前記グレンパンとの間に段差を形成し、
前記スペーサーは、前記取付部に連結されている上辺部と、前記グレンシーブが連結されている下辺部と、前記上辺部及び前記下辺部の前記側壁側の端部どうしを連結している縦辺部とを備えた断面Ｕ字形状である脱穀装置。
【請求項４】
前記グレンパンの搬送下手側部と前記グレンシーブの搬送上手側部とが、平面視において重複して配置されている請求項１から請求項３までのいずれか一項に記載の脱穀装置。
【請求項５】
シーブケースと、
脱穀処理物を搬送しながら揺動選別するグレンパンと、
前記グレンパンから脱穀処理物を受け継いで、当該受け継いだ脱穀処理物を篩い選別して、下方の回収部に漏下させるグレンシーブと、を備え、
前記シーブケースの右及び左の側壁には、前記グレンシーブが取り付けられる右及び左の取付部が設けられ、
前記グレンシーブは、前記グレンパンの下方に配置されて、前記グレンパンとの間に段差を形成し、
前記グレンシーブにおける搬送上手側部は、前記グレンパンにおける搬送上手側の端部分の下方位置まで延ばされて、平面視において前記グレンパンと重複しており、
前記グレンシーブにおける前記グレンパンと重複する重複部分が、前記グレンパンに対して下方から取り付けられ、かつ、前記グレンシーブにおける搬送下手側の端部が、前記取付部に対して下方から取り付けられ、
前記重複部分は、前記重複部分のうち前記グレンパンの搬送下手側端部の下方に位置する部位のみで、前記グレンパンに対して下方から取り付けられている脱穀装置。
【請求項６】
前記グレンパンの搬送上手側部と前記グレンシーブの搬送上手側部とが、平面視において重複して配置されている請求項４に記載の脱穀装置。
【請求項７】
前記グレンパンと前記グレンシーブとの上下間には、空間が形成され、
前記空間を前記シーブケースの横外方から覆う右及び左のカバー部材を備え、
前記グレンシーブと、前記取付部と、前記スペーサーと、前記カバー部材とが、単一のボルトで共締めされている請求項１又は請求項３に記載の脱穀装置。
【請求項８】
前記グレンパンと前記グレンシーブとが平行又は略平行に配置されている請求項１から請求項７までのいずれか一項に記載の脱穀装置。
【請求項９】
脱穀処理物を選別するための選別風を送風する唐箕を備え、
前記唐箕の選別風が通る風路が、前記段差に形成されている請求項１から請求項８までのいずれか一項に記載の脱穀装置。
【発明の詳細な説明】
【技術分野】
【０００１】
本発明は、脱穀装置に関し、より詳細には、シーブケースと、脱穀処理物を搬送しながら揺動選別するグレンパンと、グレンパンから脱穀処理物を受け継いで、当該受け継いだ脱穀処理物を篩い選別して、下方の回収部に漏下させるグレンシーブと、を備える脱穀装置に関する。
【背景技術】
【０００２】
従来より、上記のような脱穀装置は、公知となっている。例えば、特許文献１には、処理物を受け止めて揺動による選別を行う揺動選別部と、揺動選別部に選別風を供給する唐箕とを備え、揺動選別部は扱室からの処理物を受けて選別風の供給方向の下流側に送る第２グレンパンと、第２グレンパンから送られる処理物を漏下するグレンシーブとを備えている脱穀装置が開示されている。そして、特許文献１に係る脱穀装置では、グレンシーブの前端位置を第２グレンパンの底面より下方に位置させている。
【先行技術文献】
【特許文献】
【０００３】
【特許文献１】特開２００６−２４６７１７号公報（００２２段落及び図２参照）
【発明の概要】
【発明が解決しようとする課題】
【０００４】
しかしながら、特許文献１に係る脱穀装置においては、単に、グレンシーブの前端位置を第２グレンパンの底面より下方に位置させているだけで、グレンシーブの着脱を容易にするための工夫が何ら施されていない。つまり、従来の脱穀装置においては、例えば、グレンシーブをシーブケースから取り外す際には、先ず、シーブケースを脱穀装置から取り外して（シーブケースを脱穀装置から後方に引き出して）から、次に、グレンシーブをシーブケースから取り外すことになるため、グレンシーブの着脱に手間が掛かっていた。
【０００５】
本発明は以上の如き状況に鑑みてなされたものであり、グレンシーブを容易に着脱することができる脱穀装置を提供することを目的とする。
【課題を解決するための手段】
【０００６】
本発明に係る脱穀装置の特徴構成は、シーブケースと、脱穀処理物を搬送しながら揺動選別するグレンパンと、前記グレンパンから脱穀処理物を受け継いで、当該受け継いだ脱穀処理物を篩い選別して、下方の回収部に漏下させるグレンシーブと、を備え、前記シーブケースの右及び左の側壁には、前記グレンシーブが取り付けられる右及び左の取付部が設けられ、前記取付部と前記シーブケースの側壁との間には、補強用の複数のリブが、搬送方向に所定の間隔をあけて設けられ、前記リブは、前記取付部の下面と前記シーブケースの側壁との間に設けられ、前記グレンシーブは、前記グレンパンの下方に配置されて、前記グレンパンとの間に段差を形成し、且つ、複数のスペーサーを介して、前記取付部に対して下方から取り付けられ、複数の前記スペーサーのうち少なくとも一部は、前後方向に互いに隣接する前記リブの間に配置されている、ことにある。
【０００７】
本特徴構成によると、グレンシーブが取付部に対して下方から着脱される。これにより、グレンシーブの着脱に際して、シーブケースを脱穀装置から取り外さなくても、シーブケースを脱穀装置に取り付けたままで、グレンシーブをシーブケースの下方から着脱することができる。したがって、グレンシーブを容易に着脱することができる。例えば、脱穀装置の側壁に点検口を形成し、この点検口から手を入れて、グレンシーブを容易に着脱することができる。
【０００８】
また、グレンシーブがグレンパンの下方に位置して、グレンパンとグレンシーブとの間に段差が形成されている。これにより、グレンパンからの脱穀処理物が段差を落下し、その落下の際の衝撃によってある程度分散されるため、脱穀処理物をグレンシーブによって選別し易くなる。したがって、脱穀処理物の選別効率を向上させることができる。
本特徴構成によると、グレンシーブがスペーサーの高さ分だけ、グレンパンよりも下方に位置する。したがって、グレンパンとグレンシーブとの間に、段差を容易に形成することができる。
本特徴構成によると、複数のリブが取付部の下面に設けられている場合でも、スペーサーがリブ同士の間に位置する。これにより、スペーサーとリブとが、互いに干渉するのを防止することができる。したがって、取付部がグレンシーブを安定的に支持しつつ、グレンシーブを取付部にスペーサーを介して取り付けることができる。
本発明に係る脱穀装置の特徴構成は、シーブケースと、脱穀処理物を搬送しながら揺動選別するグレンパンと、前記グレンパンから脱穀処理物を受け継いで、当該受け継いだ脱穀処理物を篩い選別して、下方の回収部に漏下させるグレンシーブと、を備え、前記シーブケースの右及び左の側壁には、前記グレンシーブが取り付けられる右及び左の取付部が設けられ、前記グレンシーブは、前記グレンパンの下方に配置されて、前記グレンパンとの間に段差を形成し、且つ、前記取付部に対して下方から取り付けられ、前記グレンパンと前記グレンシーブとの上下間には、空間が形成され、前記空間を前記シーブケースの横外方から覆う右及び左のカバー部材を備え、前記カバー部材は、前記段差の全長に亘る高さに構成されている、ことにある。
本特徴構成によると、グレンシーブが取付部に対して下方から着脱される。これにより、グレンシーブの着脱に際して、シーブケースを脱穀装置から取り外さなくても、シーブケースを脱穀装置に取り付けたままで、グレンシーブをシーブケースの下方から着脱することができる。したがって、グレンシーブを容易に着脱することができる。例えば、脱穀装置の側壁に点検口を形成し、この点検口から手を入れて、グレンシーブを容易に着脱することができる。
また、グレンシーブがグレンパンの下方に位置して、グレンパンとグレンシーブとの間に段差が形成されている。これにより、グレンパンからの脱穀処理物が段差を落下し、その落下の際の衝撃によってある程度分散されるため、脱穀処理物をグレンシーブによって選別し易くなる。したがって、脱穀処理物の選別効率を向上させることができる。
本特徴構成によると、空間がシーブケースの横外方からカバー部材によって全体的に覆われる。したがって、空間の横外方から脱穀処理物が漏れ出るのを防止することができる。
本発明に係る脱穀装置の特徴構成は、シーブケースと、脱穀処理物を搬送しながら揺動選別するグレンパンと、前記グレンパンから脱穀処理物を受け継いで、当該受け継いだ脱穀処理物を篩い選別して、下方の回収部に漏下させるグレンシーブと、を備え、前記シーブケースの右及び左の側壁には、前記グレンシーブが取り付けられる右及び左の取付部が設けられ、前記グレンシーブは、前記グレンパンの下方に配置されて、且つ、スペーサーを介して前記取付部に対して下方から取り付けられて、前記グレンパンとの間に段差を形成し、前記スペーサーは、前記取付部に連結されている上辺部と、前記グレンシーブが連結されている下辺部と、前記上辺部及び前記下辺部の前記側壁側の端部どうしを連結している縦辺部とを備えた断面Ｕ字形状である、ことにある。
本特徴構成によると、グレンシーブが取付部に対して下方から着脱される。これにより、グレンシーブの着脱に際して、シーブケースを脱穀装置から取り外さなくても、シーブケースを脱穀装置に取り付けたままで、グレンシーブをシーブケースの下方から着脱することができる。したがって、グレンシーブを容易に着脱することができる。例えば、脱穀装置の側壁に点検口を形成し、この点検口から手を入れて、グレンシーブを容易に着脱することができる。
また、グレンシーブがグレンパンの下方に位置して、グレンパンとグレンシーブとの間に段差が形成されている。これにより、グレンパンからの脱穀処理物が段差を落下し、その落下の際の衝撃によってある程度分散されるため、脱穀処理物をグレンシーブによって選別し易くなる。したがって、脱穀処理物の選別効率を向上させることができる。
本特徴構成によると、グレンシーブがスペーサーの高さ分だけ、グレンパンよりも下方に位置する。したがって、グレンパンとグレンシーブとの間に、段差を容易に形成することができる。
【０００９】
本発明に係る脱穀装置の更なる特徴構成は、前記グレンパンの搬送下手側部と前記グレンシーブの搬送上手側部とが、平面視において重複して配置されている、ことにある。
【００１０】
本特徴構成によると、グレンシーブがグレンパンと重複する。これにより、グレンパンからの脱穀処理物がグレンシーブによって、確実に受け継がれる。したがって、脱穀処理物の選別精度を向上させることができる。
本発明に係る脱穀装置の特徴構成は、シーブケースと、脱穀処理物を搬送しながら揺動選別するグレンパンと、前記グレンパンから脱穀処理物を受け継いで、当該受け継いだ脱穀処理物を篩い選別して、下方の回収部に漏下させるグレンシーブと、を備え、前記シーブケースの右及び左の側壁には、前記グレンシーブが取り付けられる右及び左の取付部が設けられ、前記グレンシーブは、前記グレンパンの下方に配置されて、前記グレンパンとの間に段差を形成し、前記グレンシーブにおける搬送上手側部は、前記グレンパンにおける搬送上手側の端部分の下方位置まで延ばされて、平面視において前記グレンパンと重複しており、前記グレンシーブにおける前記グレンパンと重複する重複部分が、前記グレンパンに対して下方から取り付けられ、かつ、前記グレンシーブにおける搬送下手側の端部が、前記取付部に対して下方から取り付けられ、前記重複部分は、前記重複部分のうち前記グレンパンの搬送下手側端部の下方に位置する部位のみで、前記グレンパンに対して下方から取り付けられている、ことにある。
本特徴構成によると、グレンシーブが取付部に対して下方から着脱される。これにより、グレンシーブの着脱に際して、シーブケースを脱穀装置から取り外さなくても、シーブケースを脱穀装置に取り付けたままで、グレンシーブをシーブケースの下方から着脱することができる。したがって、グレンシーブを容易に着脱することができる。例えば、脱穀装置の側壁に点検口を形成し、この点検口から手を入れて、グレンシーブを容易に着脱することができる。
また、グレンシーブがグレンパンの下方に位置して、グレンパンとグレンシーブとの間に段差が形成されている。これにより、グレンパンからの脱穀処理物が段差を落下し、その落下の際の衝撃によってある程度分散されるため、脱穀処理物をグレンシーブによって選別し易くなる。したがって、脱穀処理物の選別効率を向上させることができる。
【００１１】
本発明に係る脱穀装置の更なる特徴構成は、前記グレンパンの搬送上手側部と前記グレンシーブの搬送上手側部とが、平面視において重複して配置されている、ことにある。
【００１２】
本特徴構成によると、グレンシーブがグレンパンの搬送上手側部までグレンパンと重複する。これにより、グレンパンからの脱穀処理物がグレンシーブによって、より確実に受け継がれる。したがって、脱穀処理物の選別精度を更に向上させることができる。
【００１３】
本発明に係る脱穀装置の更なる特徴構成は、前記グレンパンと前記グレンシーブとが平行又は略平行に配置されている、ことにある。
【００１４】
本特徴構成によると、グレンパンからの脱穀処理物が、そのままの搬送角度でグレンシーブに受け継がれる。これにより、グレンパンとグレンシーブとの間で、脱穀処理物を円滑に搬送することができる。したがって、脱穀処理物の選別効率を向上させることができる。
【００１５】
【００１６】
【００１７】
【００１８】
【００１９】
【００２０】
【００２１】
本発明に係る脱穀装置の更なる特徴構成は、前記グレンパンと前記グレンシーブとの上下間には、空間が形成され、前記空間を前記シーブケースの横外方から覆う右及び左のカバー部材を備え、前記グレンシーブと、前記取付部と、前記スペーサーと、前記カバー部材とが、単一のボルトで共締めされている、ことにある。
【００２２】
本特徴構成によると、空間がシーブケースの横外方からカバー部材によって覆われる。
したがって、空間の横外方から脱穀処理物が漏れ出るのを防止することができる。
【００２３】
【００２４】
本特徴構成によると、四つの部材が単一のボルトで一度に共締めされる。したがって、これらの部材の固定に係る工数を削減することができる。
【００２５】
【００２６】
【００２７】
本発明に係る脱穀装置の更なる特徴構成は、脱穀処理物を選別するための選別風を送風する唐箕を備え、前記唐箕の選別風が通る風路が、前記段差に形成されている、ことにある。
【００２８】
本特徴構成によると、唐箕の選別風が段差に形成された風路を通る。これにより、段差を落下するグレンパンからの脱穀処理物に対して、唐箕の選別風が作用する。したがって、脱穀処理物の選別効率を向上させることができる。
【図面の簡単な説明】
【００２９】
【図１】脱穀装置を示す側面断面図。
【図２】選別部を示す側面断面図。
【図３】シーブケースに設けられた取付部を示す平面図。
【図４】（ａ）角度調整部を示す側面図。（ｂ）角度調整部を示す背面断面図。
【図５】取付部にスペーサーを介して取り付けられたグレンシーブを示す側面断面図。
【図６】取付部にスペーサーを介して取り付けられたグレンシーブを示す正面断面図。
【発明を実施するための形態】
【００３０】
以下、本発明を実施するための形態について図面に基づき説明する。
【００３１】
先ず、脱穀装置の全体構成について、図１から図３により説明する。
【００３２】
図１及び図２に示すように、脱穀装置は、普通型コンバインに備えられている。脱穀装置は、脱穀部１と、選別部２と、を備えている。なお、脱穀装置は、自脱型コンバインに備えられていてもよい。
【００３３】
脱穀部１は、穀稈を脱穀する。脱穀部１は、穀稈脱穀用の扱胴３を備えている。扱胴３は、機体前後方向の回転軸３ａを介して、扱室４に回転可能に支持されている。また、脱穀部１には、扱胴３による脱穀処理物を漏下選別する受網５が備えられている。
【００３４】
選別部２は、脱穀処理物を選別する。選別部２は、揺動選別装置６と、唐箕７と、「回収部」としての一番回収部８と、二番回収部９と、を備えている。
【００３５】
揺動選別装置６は、受網５から漏下した脱穀処理物を、後方に搬送しながら選別する。
揺動選別装置６は、シーブケース１０と、第一グレンパン１１と、チャフシーブ１２と、ストローラック１３と、「グレンパン」としての第二グレンパン１４と、グレンシーブ１５と、を備えている。
【００３６】
シーブケース１０は、偏心カム式の揺動機構１７によって、前後方向に揺動される。シーブケース１０の上部側には、前方から順に第一グレンパン１１、チャフシーブ１２及びストローラック１３が設けられている。シーブケース１０の下部側には、前方から順に第二グレンパン１４及びグレンシーブ１５が設けられている。シーブケース１０は、右及び左の側壁２２を備えている。シーブケース１０の右及び左の側壁２２には、グレンシーブ１５が取り付けられる右及び左の取付部２３が設けられている（図３参照）。
【００３７】
第一グレンパン１１は、脱穀処理物を搬送しながら揺動選別する。具体的には、第一グレンパン１１は、シーブケース１０とともに前後方向に揺動することで、受網５からの脱穀処理物を比重差選別する。そして、第一グレンパン１１は、受網５からの脱穀処理物を比重の小さい藁屑等の塵埃と、比重の大きい穀粒と、に上下に層分けしながら、後方のチャフシーブ１２に搬送する。
【００３８】
チャフシーブ１２は、前後方向に所定間隔をあけて整列された角度調整可能な複数の第一チャフリップ板１２ａを備えている。チャフシーブ１２は、シーブケース１０とともに前後方向に揺動することで、第一グレンパン１１等からの脱穀処理物を篩い選別する。そして、チャフシーブ１２は、穀粒等を第一チャフリップ板１２ａの間から漏下させながら、第一チャフリップ板１２ａの間から漏下しなかった脱穀処理物を後方のストローラック１３に搬送する。なお、第一チャフリップ板１２ａの角度は、詳しくは後述する角度調整部３２によって調整される。
【００３９】
ストローラック１３は、左右方向に所定間隔をあけて整列された複数のラック板１３ａを備えている。ストローラック１３は、シーブケース１０とともに前後方向に揺動することで、穀粒等をラック板１３ａの間から漏下させながら、ラック板１３ａの間から漏下しなかった藁屑等を後端部から落下させる。
【００４０】
第二グレンパン１４は、脱穀処理物を搬送しながら揺動選別する。具体的には、第二グレンパン１４は、シーブケース１０とともに前後方向に揺動することで、チャフシーブ１２からの穀粒等を比重差選別する。そして、第二グレンパン１４は、チャフシーブ１２からの穀粒等を比重の小さい藁屑等の塵埃と、比重の大きい穀粒と、に上下に層分けしながら、後方のグレンシーブ１５に搬送する。
【００４１】
グレンシーブ１５は、シーブケース１０とともに前後方向に揺動することで、チャフシーブ１２や第二グレンパン１４からの穀粒等を篩い選別する。つまり、グレンシーブ１５は、第二グレンパン１４等から脱穀処理物を受け継いで、当該受け継いだ脱穀処理物を篩い選別する。そして、グレンシーブ１５は、単粒化穀粒を一番物として下方の一番回収部８に漏下させながら、漏下しなかった枝梗付き穀粒等を二番物として藁屑等とともに後方に搬送する。なお、グレンシーブ１５については、詳しくは後述する。
【００４２】
唐箕７は、脱穀処理物を選別するための選別風を揺動選別装置６に供給する。唐箕７は、ファン１８を備えている。ファン１８は、左右方向の回転軸１８ａを介して、ファンケース１９に回転可能に支持されている。ファンケース１９には、選別風を送出する送出口１９ａが形成されている。
【００４３】
一番回収部８は、唐箕７の選別風を受けながら落下するグレンシーブ１５等からの単粒化穀粒を、一番物として回収する。一番回収部８には、一番物の穀粒を搬送する一番スクリュ２０が備えられている。
【００４４】
二番回収部９は、唐箕７の選別風を受けながら落下するグレンシーブ１５等からの枝梗付き穀粒等を、二番物として回収する。二番回収部９には、二番物の穀粒を搬送する二番スクリュ２１が備えられている。
【００４５】
ここで、一番スクリュ２０の底板３９は、側面視において、一番スクリュ２０の外周に沿う多角形状に形成されている。そして、二番スクリュ２１の底板４０は、側面視において、二番スクリュ２１の外周に沿う多角形状に形成されている。これにより、一番スクリュ２０の底板３９及び二番スクリュ２１の底板４０の成型に係る型費を、半円形状にするよりも安価にすることができる。
【００４６】
次に、角度調整部３２について、図４により説明する。
【００４７】
図４に示すように、角度調整部３２は、第一チャフリップ板１２ａの角度を複数段階（例えば、五段階）に調整可能に構成されている。角度調整部３２は、角度調整板３３と、角度調整レバー３４と、を備えている。
【００４８】
角度調整板３３は、シーブケース１０の左側面に固定されている。角度調整板３３には、横外方（左方）に突出する揺動ピン３５が設けられている。
【００４９】
角度調整レバー３４は、揺動ピン３５に揺動自在に支持されている。揺動ピン３５には、ワッシャ３６が外嵌されている。そして、揺動ピン３５には、図示しないピン孔が形成されている。この揺動ピン３５のピン孔には、ベータピン３７が差し込まれている。また、角度調整レバー３４は、連結ピン３８を介して、一の第一チャフリップ板１２ａと連結されている。そして、角度調整レバー３４が、揺動ピン３５を支点に揺動されると、連結ピン３８が、角度調整板３３に形成された溝３３ａに沿って移動する。
【００５０】
ここで、角度調整部３２は、次の手順により、チャフシーブ１２の左側部に組み付けられる。先ず、角度調整板３３が、シーブケース１０の左側面に固定される。そして、角度調整板３３の横外方（左方）から、角度調整レバー３４が、揺動ピン３５に取り付けられるとともに、連結ピン３８が、一の第一チャフリップ板１２ａと連結される。そして、ワッシャ３６が、揺動ピン３５に外嵌される。そして、ベータピン３７が、揺動ピン３５の前記ピン孔に差し込まれる。
【００５１】
このような構成により、角度調整レバー３４が、ベータピン３７によって、固定（抜け止め）される。したがって、チャフシーブ１２及び角度調整板３３をアッシ構造として、シーブケース１０に組み付けることができるため、これらの組立工数を削減することができる。
【００５２】
次に、グレンシーブ１５について、図５及び図６により説明する。
【００５３】
図５及び図６に示すように、グレンシーブ１５は、複数のスペーサー２４を介して、取付部２３に対して下方から取り付けられている。グレンシーブ１５は、第二グレンパン１４の下方に配置されて、第二グレンパン１４との間に段差Ｄを形成している。段差Ｄには、唐箕７の選別風が通る風路Ｒが形成されている。つまり、風路Ｒは、第二グレンパン１４とグレンシーブ１５との上下間に形成されている。
【００５４】
また、第二グレンパン１４の搬送下手側部とグレンシーブ１５の搬送上手側部とが、平面視において重複して配置されている。具体的には、第二グレンパン１４の搬送上手側部とグレンシーブ１５の搬送上手側部とが、平面視において重複して配置されている。また、第二グレンパン１４とグレンシーブ１５とが平行（又は略平行）に配置されている。そして、第二グレンパン１４とグレンシーブ１５との上下間には、空間Ｓが形成されている。空間Ｓは、シーブケース１０の横外方から右及び左のカバー部材２５によって覆われている。
【００５５】
スペーサー２４は、本実施形態では、左右片側に三つずつ（左右両側合わせて六つ）備えられている。三つのスペーサー２４は、搬送方向（前後方向）に所定の間隔をあけて配置されている。三つのスペーサー２４のうち、最前のスペーサー２４は、第二グレンパン１４に固定されている。そして、残り二つのスペーサー２４（真ん中のスペーサー２４と最も後ろのスペーサー２４）は、取付部２３に固定されている。これら二つのスペーサー２４は、搬送方向（前後方向）に互いに隣接するリブ２３ａ間に配置されている。
【００５６】
スペーサー２４は、チャンネル部材によって構成されている。スペーサー２４は、横内方側に開口（横外方側に閉口）するように配置されている。なお、複数の「スペーサー」の数は、本実施形態に限定されるものではない。また、「スペーサー」は、チャンネル部材に限定されるものではない。
【００５７】
カバー部材２５は、Ｌアングルによって構成されている。カバー部材２５は、縦板２５ａと、横板２５ｂと、を備えている。なお、「カバー部材」は、Ｌアングルに限定されるものではない。
【００５８】
縦板２５ａは、シーブケース１０の側壁２２の側面（横外面）に沿っている。縦板２５ａは、段差Ｄの全長に亘る高さＨに構成されている。横板２５ｂは、スペーサー２４の下面に沿っている。
【００５９】
ここで、グレンシーブ１５と、取付部２３と、スペーサー２４（真ん中のスペーサー２４と最も後ろのスペーサー２４）と、カバー部材２５とが、単一のボルト２６で共締めされている。具体的には、スペーサー２４は、取付部２３にボルト２６とナット２７とで固定されている。そして、グレンシーブ１５及びカバー部材２５は、スペーサー２４にボルト２６とナット２８とで固定されている。
【００６０】
また、第二グレンパン１４と、グレンシーブ１５と、スペーサー２４（最前のスペーサー２４）と、カバー部材２５とが、単一のボルト２９で共締めされている。具体的には、スペーサー２４は、第二グレンパン１４にボルト２９とナット３０とで固定されている。
そして、グレンシーブ１５及びカバー部材２５は、スペーサー２４にボルト２９とナット３１とで固定されている。
【００６１】
以上のような構成により、本実施形態の係る脱穀装置においては、グレンシーブ１５が右及び左の取付部２３に対して下方から着脱される。これにより、グレンシーブ１５の着脱に際して、シーブケース１０を脱穀装置から取り外さなくても、シーブケース１０を脱穀装置に取り付けたままで、グレンシーブ１５をシーブケース１０の下方から着脱することができる。したがって、グレンシーブ１５を容易に着脱することができる。
【００６２】
例えば、選別部２の側壁（左側壁若しくは右側壁、又は、左側壁及び右側壁）に点検口２ａを形成し、この点検口２ａから手を入れて、グレンシーブ１５を容易に着脱することができる。なお、点検口２ａは、図示しない蓋で蓋をされているため、点検口２ａから手を入れる際には、この蓋を開ける必要がある。
【００６３】
また、グレンシーブ１５をスペーサー２４を介して右及び左の取付部２３に取り付けることにより、段差Ｄを形成するようにしたり、あるいは、グレンシーブ１５を右及び左の取付部２３に直接取り付ける（スペーサー２４を介さずに取り付ける）ことにより、段差Ｄを形成しない（グレンシーブとグレンパンとの略面一に配置する）ようにしたりすることができる。つまり、グレンシーブ１５は、高さ調節可能に構成されている。
【００６４】
また、グレンシーブ１５が第二グレンパン１４の下方に位置して、第二グレンパン１４とグレンシーブ１５との間に段差Ｄが形成されている。これにより、第二グレンパン１４からの脱穀処理物が段差Ｄを落下し、その落下の際の衝撃によってある程度分散されるため、脱穀処理物をグレンシーブ１５によって選別し易くなる。したがって、脱穀処理物の選別効率を向上させることができる。
【産業上の利用可能性】
【００６５】
本発明は、シーブケースと、脱穀処理物を搬送しながら揺動選別するグレンパンと、グレンパンから脱穀処理物を受け継いで、当該受け継いだ脱穀処理物を篩い選別して、下方の回収部に漏下させるグレンシーブと、を備える脱穀装置に利用可能である。
【符号の説明】
【００６６】
７  唐箕
８  一番回収部（回収部）
１０  シーブケース
１４  第二グレンパン（グレンパン）
１５  グレンシーブ
２２  側壁
２３  取付部
２３ａ  リブ
２４  スペーサー
２５  カバー部材
２６  ボルト
Ｄ  段差
Ｈ  高さ
Ｒ  風路
Ｓ  空間
【図１】
0006016427.tif 000002
【図２】
0006016427.tif 000003
【図３】
0006016427.tif 000004
【図４】
0006016427.tif 000005
【図５】
0006016427.tif 000006
【図６】
0006016427.tif 000007